(57)【要約】      （修正有）【課題】複数のギャレーカートに流体連通するように構成された供給ダクト及び返送ダクトを得る。【解決手段】冷却ギャレーカートが、内部空洞を画定する複数の壁、複数の壁のうちの１つの壁内に画定された供給バルブ、及び複数の壁のうちの１つの壁内に画定された返送バルブを含む。供給バルブと返送バルブは、冷却ギャレーカートから冷却された気流を供給するように内部空洞内に配置された冷却器に連結されるように構成されている。ギャレーのカートコンパートメント内に配置されたデマンドギャレーカートを冷却するための方法が、供給バルブと返送バルブに連結された内部空洞内に配置された冷却器を有する冷却ギャレーカートをカートコンパートメント内に配置すること、供給バルブをギャレーの供給ポートに連結すること、及び返送バルブをギャレーの返送ポートに連結することを含む。【選択図】図２
2018127189.tif 000002
【特許請求の範囲】
【請求項１】
複数のギャレーカート（１０８、１８０、２００、２５０）を保管するように構成されたカートコンパートメント（１０２）、
前記複数のギャレーカートに流体連通するように構成された供給ダクト（１３２）、
前記複数のギャレーカートに流体連通するように構成された返送ダクト（１３４）、
前記供給ダクトに流体連通した冷却供給ポート（１７６）であって、前記複数のギャレーカートのうちの冷却ギャレーカート（２００）内に配置された冷却器（２０１）から前記供給ダクトの中へ冷却された空気を誘導するために、前記冷却ギャレーカートの供給バルブ（２１６）に連結するように構成された、冷却供給ポート、及び
前記返送ダクトに流体連通した冷却返送ポート（１７８）であって、前記返送ダクトから前記冷却ギャレーカート内に配置された前記冷却器の中へ返送空気を誘導するために、前記冷却ギャレーカートの返送バルブ（２１８）に連結するように構成された、冷却返送ポートを備える、ギャレー（１０４）。
【請求項２】
前記供給ダクト（１３２）が、前記カートコンパートメント（１０２）内に受け入れられた前記冷却ギャレーカート（２０１）から、冷却された気流を受け入れるのみである、請求項１に記載のギャレー（１０４）。
【請求項３】
前記冷却供給ポート（１７６）と前記冷却返送ポート（１７８）の近くに配置された電気コネクタ（２２６）を更に備え、前記電気コネクタが、前記冷却ギャレーカート（２００）の電気アダプター（２２４）と接続するように構成されている、請求項１又は２に記載のギャレー（１０４）。
【請求項４】
前記供給ダクト（１３２）と前記返送ダクト（１３４）が、前記冷却ギャレーカート（２００）と、前記複数のギャレーカート（１０８）のうちの少なくとも１つのデマンドギャレーカート（１８０）との間で、気流を誘導するように構成されている、請求項１から３のいずれか一項に記載のギャレー（１０４）。
【請求項５】
前記複数のギャレーカート（１０８）のうちの少なくとも１つのデマンドギャレーカート（１８０）のエアオーバー冷却のために、前記供給ダクト（１３２）が、前記冷却ギャレーカート（２００）から前記カートコンパートメント（１０２）の中へ前記冷却された空気を誘導する、請求項１から４のいずれか一項に記載のギャレー（１０４）。
【請求項６】
前記供給ダクト（１３２）に流体連通したデマンド供給ポート（１７７）を更に備え、前記デマンド供給ポートが、前記複数のギャレーカート（１０８）のうちのデマンドギャレーカート（１８０）のエアスルー冷却のために、前記供給ダクトから前記デマンドギャレーカートへ前記冷却された空気を誘導するように、前記デマンドギャレーカートの供給バルブ（１９６）と連結するように構成されている、請求項１から５のいずれか一項に記載のギャレー（１０４）。
【請求項７】
前記供給ダクト（１３２）が第１の供給ダクト（１３２ａ）を画定し、前記返送ダクト（１３４）が第１の返送ダクト（１３４ａ）を画定し、前記冷却供給ポート（１７６）が第１の冷却供給ポート（１７６ａ）を画定し、前記冷却返送ポート（１７８）が第１の冷却返送ポート（１７８ａ）を画定し、前記ギャレーが、
前記第１の供給ダクトから分離し、前記複数のギャレーカート（１０８）のうちの対応するギャレーカートに流体連通するように構成された、第２の供給ダクト（１３２ｂ）、
前記第１の返送ダクトから分離し、前記複数のギャレーカートのうちの対応するギャレーカートに流体連通するように構成された、第２の返送ダクト（１３４ｂ）、
前記第２の供給ダクトに流体連通した第２の冷却供給ポート（１７６ｂ）であって、前記複数のギャレーカートのうちの第２の冷却ギャレーカート（２００ｂ）内に配置された冷却器（２０１）から前記第２の供給ダクトの中へ冷却された空気を誘導するために、前記第２の冷却ギャレーカートの供給バルブ（２１６）に連結するように構成された、第２の冷却供給ポート、及び
前記第２の返送ダクトに流体連通した第２の冷却返送ポート（１７８ｂ）であって、前記返送ダクトから前記第２の冷却ギャレーカート内に配置された前記冷却器の中へ返送空気を誘導するために、前記第２の冷却ギャレーカートの返送バルブ（２１８）に連結するように構成された、第２の冷却返送ポートを更に備える、請求項１から６のいずれか一項に記載のギャレー（１０４）。
【請求項８】
前記供給ダクト（１３２）が、前記カートコンパートメント（１０２）の上方の荷物コンパートメントと流体連通するように構成されている、請求項１から７のいずれか一項に記載のギャレー（１０４）。
【請求項９】
ギャレー（１０４）のカートコンパートメント（１０２）内に配置された少なくとも１つのデマンドギャレーカート（１８０）を冷却するための方法であって、前記ギャレーが、供給ダクト（１３２）、返送ダクト（１３４）、前記供給ダクトに流体連通した供給ポート（１７６）、及び前記返送ダクトに流体連通した返送ポート（１７８）を含み、前記方法が、
前記カートコンパートメント内に冷却ギャレーカート（２００）を配置することを含み、前記冷却ギャレーカートが、内部空洞（２０４）を画定する複数の壁（２０２）、前記複数の壁のうちの１つの壁内に画定された供給バルブ（２１６）、前記複数の壁のうちの１つの壁内に画定された返送バルブ（２１８）、及び前記内部空洞内に配置された冷却器（２０１）を含み、前記冷却器が前記供給バルブと前記返送バルブに連結され、前記方法が、更に、
前記冷却器から前記供給ダクトへ冷却された気流を供給するために、前記冷却ギャレーカートの前記供給バルブを前記供給ポートに連結すること、及び
前記返送ダクトから前記冷却器に返送空気を供給するために、前記冷却ギャレーカートの前記返送バルブを前記返送ポートに連結することを含む、方法。
【請求項１０】
ギャレー（１０４）と共に使用される冷却ギャレーカート（２００）であって、
内部空洞（２０４）を画定する複数の壁（２０２）、
前記複数の壁のうちの１つの壁内に画定された供給バルブ（２１６）、及び
前記複数の壁のうちの１つの壁内に画定された返送バルブ（２１８）を備え、
前記供給バルブと前記返送バルブが、前記冷却ギャレーカートから冷却された気流を供給するために、前記内部空洞内に配置された冷却器（２０１）に連結するように構成されている、冷却ギャレーカート（２００）。
【請求項１１】
前記複数の壁（２０２）のうちの１つ内に画定された入口（２００）と前記複数の壁のうちの１つ内に画定された出口（２２２）を更に備え、前記冷却器が前記出口を通して暖かい空気を排出するように、前記入口と前記出口が、前記内部空洞（２０４）内に配置された前記冷却器（２０１）と連結するように構成されている、請求項１０に記載の冷却ギャレーカート（２００）。
【請求項１２】
前記内部空洞（２０４）内に配置され、前記冷却ギャレーカートから最新の冷却された気流を供給するように前記供給バルブ（２１６）と前記返送バルブ（２１８）に連結された、前記冷却器（２０１）を更に備える、請求項１０又は１１に記載の冷却ギャレーカート（２００）。
【発明の詳細な説明】
【技術分野】
【０００１】
本開示は、広くは、航空機のギャレーを冷却するシステム及び方法に関する。
【背景技術】
【０００２】
航空機は、通常、航空機上に食料及び飲料を保管する、複数のギャレーを含んでいる。食料や飲料は、通常、ギャレーカート内に保管される。ギャレーカートは、機内に搬送され、ギャレー内の冷蔵コンパートメント又は冷蔵区域内に保管される。ギャレーの頂部には、通常、熱交換器が設けられていて、複数のエアダクト及び他の構成要素を介して、これらのコンパートメント又は区域のそれぞれに冷却された空気を供給する。従来型のシステムでは、エアダクト、並びにエアダクトに関連する供給デバイス及び返送デバイスは、冷却された空気をカートコンパートメントに供給し、この空気を熱交換器へと返送するため、ギャレーの後壁を通じてカートコンパートメントへ経路指定されている。例えば、ギャレーの上方に位置する熱交換器から、ギャレーの底部に位置するカートコンパートメントの高さまで、ギャレーの後壁を下って、垂直のダクトが延在し得る。ギャレーカート及びカートコンパートメントに空気を供給し、又はそれらから空気を返送するため、対応する垂直ダクトから様々なギャレーカートに沿って水平ダクトが延在し得る。
【０００３】
従来のギャレーシステムは、欠点がないわけではない。例えば、熱交換器の構成要素と気流供給・返送構成要素のために、大量の容積が必要とされる。更に、熱交換器の構成要素は、ギャレーに、したがって、航空機に重量を追加する。更に、冷却システムの区域制御は困難であり、ギャレーカートを保持するカートコンパートメントに供給される冷却空気の量を制御することを難しくしている。例えば、あるフライトでは、ギャレーカートの一部又は全部の冷却は必要でない場合がある。しかし、ギャレーカートのうちの何れかを冷却するために、システムはギャレーカートの全部に冷却空気を供給する。
【発明の概要】
【０００４】
一実施形態によれば、冷却ギャレーカートが、内部空洞を画定する複数の壁、複数の壁のうちの１つの壁内に画定された供給バルブ、及び複数の壁のうちの１つの壁内に画定された返送バルブを含む。供給バルブと返送バルブは、冷却ギャレーカートから冷却された気流を供給するために内部空洞内に配置された冷却器と連結するように構成されている。
【０００５】
一実施形態によれば、ギャレーは、複数のギャレーカートを保管するように構成されたカートコンパートメント、複数のギャレーカートに流体連通するように構成された供給ダクト、及び複数のギャレーカートに流体連通するように構成された返送ダクトを含む。ギャレーは、供給ダクトに流体連通した冷却供給ポートと返送ダクトに流体連通した冷却返送ポートを含む。冷却供給ポートは、複数のギャレーカートのうちの冷却ギャレーカート内に配置された冷却器から供給ダクトへ冷却された空気を誘導するために、冷却ギャレーカートの供給バルブと連結するように構成されている。冷却返送ポートは、返送ダクトから冷却ギャレーカート内に配置された冷却器の中へ返送空気を誘導するために、冷却ギャレーカートの返送バルブと連結するように構成されている。
【０００６】
一実施形態によれば、供給ダクト、返送ダクト、供給ダクトに流体連通した供給ポート、及び返送ダクトに流体連通した返送ポートを含む、ギャレーのカートコンパートメント内に配置された少なくとも１つのデマンドギャレーカートを冷却するための方法が、冷却ギャレーカートをカートコンパートメント内に配置することを含む。冷却ギャレーカートは、内部空洞を画定する複数の壁、複数の壁のうちの１つの壁内に画定された供給バルブ、複数の壁のうちの１つの壁内に画定された返送バルブ、及び供給バルブと返送バルブに連結した内部空洞内に配置された冷却器を含む。該方法は、冷却器から供給ダクトへ冷却された空気を供給するために、冷却ギャレーカートの供給バルブを供給ポートに連結すること、及び、返送ダクトから冷却器へ返送空気を供給するために、冷却ギャレーカートの返送バルブを返送ポートに連結することも含む。
【０００７】
上述の特徴及び機能は、様々な実施形態において独立に実現することが可能であり、また別の実施形態において組み合わせることも可能である。これらの実施形態について、以下の説明および添付図面を参照して更に詳細に説明する。
【図面の簡単な説明】
【０００８】
【図１】航空機用の例示的なギャレーシステムの概略図である。
【図２】ギャレーのカートコンパートメント内に受け入れられるように構成された、ギャレーに隣接したギャレーカートを示すギャレーの一部分の前面図である。
【図３】例示的な一実施形態による、冷却ギャレーカートの前面図である。
【図４】冷却ギャレーカートの側面図である。
【図５】冷却ギャレーカートの後面図である。
【図６】並んで配置された２つの冷却ギャレーカートを示す。
【図７】冷却ギャレーカートの内部空洞内に配置された２つの冷却器を有する冷却ギャレーカートを示す。
【図８】内部空洞内に配置された２つの冷却器を有する冷却ギャレーカートを示す。
【図９】カートコンパートメントを示すギャレーの一部分の概略図である。
【図１０】カートコンパートメントを示すギャレーの一部分の概略図である。
【図１１】カートコンパートメントを示すギャレーの一部分の概略図である。
【図１２】例示的な一実施形態による、ギャレーの一部分の概略図である。
【図１３】カートコンパートメントを示す、図１２で示されたギャレーの端面図である。
【図１４】例示的な一実施形態による、ギャレーの一部分の概略図である。
【発明を実施するための形態】
【０００９】
特定の実施形態の以下の詳細な説明は、添付の図面を参照して読むことにより、より良く理解される。様々な実施形態が、図面に示す配設および手段に限定されないことは、理解すべきである。
【００１０】
本明細書で使用される際に、単数で記載され、「一」または「１つの」という言葉に続く要素又はステップは、前記要素又はステップの複数形を除外することが明示的に記述されない限り、こうした除外が行われないことを、理解すべきである。更に、「一実施形態」への言及は、やはり記載されている特性を内包する追加的な実施形態の存在を除外すると解釈されることを、意図するものではない。更に、明示的に反対の記述がない限り、特定の性質を有する１つ以上の要素を「備える」、「含む」、又は「有する」実施形態は、その性質を有しない追加のそうした要素を含み得る。
【００１１】
ギャレーカートを冷却するため、ギャレーモニュメントのカートコンパートメントへ（要するにギャレーへ）冷却空気を供給するように構成された、航空機用ギャレーシステムの様々な実施形態が、本明細書に記載される。様々な実施形態が、ギャレーカート内に配置されたユースポイント（point-of-use）冷却器から冷却気流を供給する。様々な実施形態は、熱交換システムのためにギャレー内に設けられる空間を低減させ、したがって、貯蔵のためのギャレー内及び／又は乗客席若しくは乗客の足元の空間のための乗客コンパートメント内のより大きな空間を提供することができる。様々な実施形態は、ギャレーカート内の冷却器を使用して、ギャレーカートのための効率的な冷却環境を提供する。冷却ギャレーカートは、冷却が必要とされるときに一部のフライトで使用され、ギャレーカートの冷却を必要としない他のフライトでは除去され得る。したがって、冷却ギャレーカートは、冷却構成における柔軟性を提供する。冷却ギャレーカートは、コンバーチブル型のギャレーなどの様々な種類のギャレーで使用され、そのようなコンバーチブル型のギャレーに対して冷却を提供し得る。冷却ギャレーカートは、カートコンパートメント内の熱交換システムの冷却容量を高めるためなどに、従来の熱交換システムを有するギャレー内で使用され得る。
【００１２】
図１は、航空機１０６用の例示的なギャレーシステム１００の概略図である。ギャレーシステム１００は、ギャレー１０４のカートコンパートメント１０２内に保持されているギャレーカート１０８を冷却するために用いられる。ギャレー１０４は、１以上のカートコンパートメント１０２を画定する。１以上のカートコンパートメント１０２は、通常、ギャレー１０４の中間壁１０５の下方に配設されている。中間壁１０５は、カウンターを画定し、本明細書で、以降、カウンター１０５と呼ばれ得る。中間壁１０５は、カートコンパートメント１０２の頂部を画定する。
【００１３】
ギャレー１０４は、航空機１０６のキャビン１１０内に配置されている。航空機１０６のキャビンは、乗客席１１４が位置する乗客用領域１１２と、ギャレー１０４が位置するギャレー用領域１１５とに分かれている。乗客用領域１１２は、航空機１０６内でギャレー１０４の外側の、通常、乗客が位置している領域である。ギャレー用領域１１５は、ギャレー１０４の前方にギャレークルー用の作業領域を有する。作業領域では、カートコンパートメント１０２、カウンター１０５、及びキャビネット若しくは収納棚にアクセスし得る。ギャレー１０４に割かれる空間は、乗客席１１４又は洗面所といった他の目的には使用不能であり、したがって、航空機の運航業者が乗客用領域１１２を増大し各フライトの収益を向上させるためには、航空機の製造業者がギャレー用領域１１５の占有面積を縮小することが望ましいだろう。
【００１４】
ギャレー１０４は、（図２で示されている）底部１２０、頂部１２２、前部１２４、前部１２４に対向する後部１２６、並びに（図２で示されている）第１の側部１２８及び第２の側部１３０を含む。側部１２８と１３０との間の少なくとも一部に、及び、前部１２４と後部１２６との間の少なくとも一部に、中間壁１０５が延在する。中間壁１０５は、底部１２０と頂部１２２との間のほぼ中央に配置され得る。しかし、様々な実施形態では、中間壁１０５が、より底部１２０寄り又はより頂部１２２寄りに配置されていてもよい。示されている実施形態では、カートコンパートメント１０２が、中間壁１０５と底部１２０との間に配置されている。後部１２６は、キャビン１１０内のギャレー１０４の配向に応じて、機首方向に面していても、機尾方向に面していても、又は側方に面していてもよい。後部１２６は、乗客用領域１１２に面していてもよい（例えば、乗客席１１４が、後部１２６の後ろ又は後部１２６の前などに位置していてもよい）が、代替的な実施形態では、後部１２６は隔壁（bulkhead）に接して配置され得る。
【００１５】
ギャレーは、前ギャレー、後ギャレー、中間ギャレー、又はコンバーチブル型のギャレーなどの別の種類のギャレーであり得る。コンバーチブル型のギャレーは、ギャレーとクローゼットなどの別の用途との間で変換可能である。更なるギャレーカートの冷却を必要とするフライトでは、コンバーチブル型のギャレーに冷却が提供され得る。コンバーチブル型のギャレーは、専用の熱交換器を含まないが、むしろコンバーチブル型のギャレー内で画定されたカートコンパートメント内にユースポイント冷却器を受け入れる。様々な実施形態では、ギャレーカート１０８を冷却するためにカートコンパートメント１０２へ冷却気流を供給するために使用される、航空機の頂部（crown）内の頭上の熱交換器などの専用の熱交換器を、ギャレー１０４が含み得る。しかし、他の代替的な実施形態では、ギャレー１０４が、頭上の熱交換器を有することなしに、冷却を提供するように設計され得る。例えば、ギャレー１０４は、冷却を必要とする他のデマンドギャレーカートのために冷却を提供する、冷却ギャレーカート内にユースポイント冷却器を有する１以上の冷却ギャレーカートを受け入れ得る。
【００１６】
本明細書で使用される際に、カートコンパートメントは、航空機１０６上で１以上のギャレーカートを保管するために利用される、断熱された又は断熱されていない空間である。本明細書で使用される際に、ギャレーカートは、カートコンパートメント内に受け入れられるように構成された運搬可能なデバイスである。デマンドギャレーカートは、食料及び／又は飲料をサービスするために、ケータリング業者から航空機１０６へ、又はカートコンパートメント１０２から航空機１０６の他の部分へ移送される、食料及び／又は飲料を保管するのに用いられるギャレーカートなどの、冷却を必要とするギャレーカートの一種である。冷却ギャレーカートは、ギャレーカートの内部にユースポイント冷却器を有するギャレーカートの一種である。ギャレーカートは車輪を含み得るが、ある実施形態では、ギャレーカートが手で運ばれる箱であり得る。
【００１７】
ギャレー１０４は、任意の数のカートコンパートメント１０２を含み、航空機１０６は、任意の数のギャレー１０４を含み得る。ギャレー１０４は、通常、（キャビン１１０から見て機首方向及び／又は機尾方向といった）航空機１０６のドア付近に配設されているが、ある実施形態では、キャビン中部に位置していてもよい。各カートコンパートメント１０２は、任意の数のギャレーカート１０８を保持し得る。ギャレー１０４は、食料又は飲料の保管及び／又は準備のために使用され得る。あるギャレーは、飲料の準備用にのみ使用される、バー用のユニットであってもよい。あるギャレーは、クローゼット、ワークステーション、洗面所などといった他の目的に使用される、他のモニュメントに一体化されていてもよい。
【００１８】
例示的な一実施形態では、ギャレーシステム１００が、カートコンパートメント１０２内のギャレーカート１０８などに対して冷却された空気を供給する、熱交換器１１６を含む。熱交換器１１６は、ギャレー１０４内に取り付けられ得る。例えば、ギャレー１０４の頂部（例えば、航空機１０６の頂部内）などに配置されていてもよく、ギャレー１０４内（例えば、カウンターの上方）に配置されていてもよく、又はギャレー１０４の下方（例えば、航空機１０６の下部貨物室内）に配置されていてもよい。他の様々な実施形態では、ギャレーシステム１００が、ギャレー内に取り付けられる熱交換器１１６を欠いている場合もある。そのような実施形態では、以下でより詳細に説明されるように、ギャレーカート１０８のための冷却が、１以上のユースポイント冷却ギャレーカートによって提供され得る。例示的な一実施形態では、ギャレーシステム１００が、例えば、熱交換器１１６及び／又は（１以上の）冷却ギャレーカートからデマンドギャレーカート１０８へ、冷却された給気を誘導するために、（１以上の）カートコンパートメント１０２に流体連通した、気流供給・返送システムを含む。
【００１９】
例示的な一実施形態では、熱交換器１１６が、ギャレーシステム１００を通る空気の流れを増加させるために、ファン又は他の空調デバイスを含む。ファンは、気流供給・返送システム１１８を通るように気流を送り込み、この空気を、気流の温度を低減させるために用いられるギャレー急冷ユニットへ差し向ける。ファンは、返送ダクトと供給ダクトとの間などの、気流供給・返送システム１１８内に配置されていてもよい。ファンは、ギャレー急冷ユニットの上流に配置されていてもよいが、代替的な実施形態では、ファンが他の位置に配置され得る。一実施形態では、ギャレー急冷ユニットは、給気を冷却するために、冷媒などの急冷された液体を熱交換器１１６に供給する、液冷式のギャレー急冷ユニットである。別の実施形態では、ギャレー急冷ユニットが、従来型の冷蔵ユニットであり、蒸発器、凝縮器、圧縮機、及び（図示せぬ）膨張弁を含んでいる。
【００２０】
気流供給・返送システム１１８は、ギャレー１０４内に配設されている。気流供給・返送システム１１８の構成要素は、必要に応じて空気を供給し返送するために、ギャレー１０４及び／又は航空機の様々な位置に経路指定され得る。示されている実施形態では、気流供給・返送システム１１８の構成要素が、ギャレー１０４の後部（例えば、キャビネットの後部、（１以上の）カートコンパートメント１０２の後部、ギャレー１０４の他の構成要素の後部など）に沿ってなど、概して、ギャレー１０４の後部１２６に沿って配設されている。冷却ギャレーカートを使用してカートコンパートメント１０２に冷却を提供する実施形態などの、熱交換器を含まない実施形態では、気流供給・返送システム１１８が、後部１２６の壁に沿って又は後部１２６の壁内などで、カートコンパートメント１０２内に完全に含まれ得る。例示的な一実施形態では、気流供給・返送システム１１８の構成要素が、ギャレー１０４の少なくとも一部分の奥行きを低減させるような領域内に経路指定される。例えば、気流供給・返送システム１１８のダクトは、中間壁１０５の上方で消去され得る。それは、ギャレー１０４のサイズを低減させ及び／又は他のアイテムを収容するためのキャビネットのサイズを増加させ得る。
【００２１】
気流供給・返送システム１１８は、ギャレーカート１０８を冷却するために、冷却された空気を供給し暖められた空気を返送するための複数のダクトを含む。例えば、システム１１８は、（１以上の）カートコンパートメント１０２及び／又はデマンドギャレーカートに冷却された空気を供給するための少なくとも１つの冷却空気供給ダクト１３２と、熱交換器１１６及び／又は冷却ギャレーカートに空気を返送するための少なくとも１つの空気返送ダクト１３４とを含む。ダクト１３２、１３４は、エアスルー冷却構成を通るなどして、ギャレーカート１０８と直接的に相互作用するように経路指定され、又はエアオーバー冷却構成のためにカートコンパートメント１０２内の適切な位置に経路指定され得る。
【００２２】
図２は、中間壁１０５の下方のギャレー１０４の一部分の前面図であり、ギャレー１０４に隣接したギャレーカート１０８のうちの１つを示し、ギャレーカート１０８は、ギャレー１０４のカートコンパートメント１０２内に受け入れられるように構成されている。図２は、ギャレー１０４の第１及び第２の側面１２８、１３０を示し、カートコンパートメント１０２は、第１及び第２の側面１２８、１３０の間にある。パーティション壁１３１が、カートコンパートメント１０２の部分の間に設けられ、又はその空間を複数のカートコンパートメント１０２へ分割し得る。
【００２３】
カートコンパートメント１０２は、カートコンパートメント１０２によって画定された空洞１５０内にギャレーカート１０８を積み込み／積み出しするために、中間壁１０５の下方などの底部１２０付近に配置されている。ギャレー１０４のカウンター領域の上方などの、カートコンパートメント１０２の上方には、キャビネット又は他の冷却されないコンパートメントが設けられ得る。ある代替的な実施形態では、冷却されるコンパートメントがカウンター領域の上方に設けられ、気流供給・返送構成が使用されて、そのようなキャビネットを冷却し得る。
【００２４】
任意選択的に、カートコンパートメント１０２は前部１２４に１以上のドアを有し得る。１以上のドア１５２は、前部１２４を通ってギャレーカート１０８を積み込み／積み出しするといったように、カートコンパートメント１０２の空洞１５０へのアクセスを提供するために開かれ得る。（１以上の）ドアは、ギャレーカート１０８をカートコンパートメント１０２内に保持するために、及び／又は空洞１５０内の冷却空間を囲い込むために、及び／又は断熱を提供するために、閉められ得る。例示的な一実施形態では、ギャレーカート１０８が空洞１５０内に配置されているときに、ギャレーカート１０８の周りに空間が画定される。任意選択的に、この空間内のギャレーカート１０８の周囲で空気が流動し得る。代替的な実施形態では、エアスルーカート供給構成が利用され得る。そうした実施形態では、ドアが必ずしも必要ではない。ドアを必要とするよりもむしろ、カートコンパートメント１０２内にギャレーカート１０８を保持するためのロック機構が使用され得る。
【００２５】
ギャレー１０４は、カートコンパートメント１０２の空洞１５０を画定する複数の壁１５４を含む。例示的な一実施形態では、カートコンパートメント１０２が、底壁１６０、頂壁１６２、前壁１６４、後壁１６６、及び側壁１６８、１７０を含む。任意選択的に、ギャレー１０４は、複数のカートコンパートメント１０２（例えば、左側及び右側のカートコンパートメント）を含み、側壁１６８、１７０が、隣接するカートコンパートメント１０２を仕切っていてもよい。代替的な実施形態では、ギャレー１０４が、単一のカートコンパートメント１０２を含み、側壁１６８、１７０は、ギャレー１０４の外面１２８、１３０を画定しているか、又は外面１２８、１３０に沿って延在する。前壁１６４は、ギャレーカート１０８がカートコンパートメント１０２の中へ積み込まれ、ギャレーカート１０８がカートコンパートメント１０２から積み出されることを可能にする、前壁１６４を通って画定された１以上の出入口を含む。頂壁１６２は、ギャレー１０４の中間壁１０５によって画定され、又は代替的に、頂壁１６２の上方に中間壁１０５が配置されていてもよい。底壁１６０は、キャビン１１０の床によって画定され、又は代替的に、底壁はキャビン１１０の床上に配置されていてもよい。
【００２６】
例示的な一実施形態では、気流供給・返送システム１１８が、供給ダクト１３２に沿って設けられ供給ダクト１３２に流体連通した少なくとも１つの供給デバイスと、返送ダクト１３４に沿って設けられ返送ダクト１３４に流体連通した少なくとも１つの返送デバイスを含む。例えば、例示的な実施形態では、気流供給・返送システム１１８が、冷却供給ポート１７６、複数のデマンド供給ポート１７７、冷却返送ポート１７８、及び複数のデマンド返送ポート１７９を含む。冷却供給ポート１７６とデマンド供給ポート１７７は、供給ダクト１３２と流体連通し、冷却返送ポート１７８とデマンド返送ポート１７９は、返送ダクト１３４と流体連通している。様々な実施形態では、気流デバイスが、気流がそこを通ることを可能にする開口部を有するエアグリルであってもよい。他の実施形態では、気流デバイスが、バルブとギャレーカート１０８との間の直接的な空気の流れのために、ギャレーカート１０８に対して密封するように構成されたバルブであり得る。
【００２７】
使用の間、デマンドギャレーカートに冷却された気流を供給するために冷却ギャレーカートを利用するときに、供給・返送システム１１８を通る空気の流れは、冷却ギャレーカートから冷却供給ポート１７６を通って空気供給ダクト１３２の中へ流れ、その後、デマンド供給ポート１７７を通って（エアスルー冷却構成では）デマンドギャレーカートの中へ又は（エアオーバー冷却構成では）カートコンパートメント１０２の中へ流れる。冷却された空気が使用されて、冷却ギャレーカートへ返送される前に、デマンドギャレーカートを冷却する。この空気は、デマンド返送ポート１７９を通って返送ダクト１３４の中へ流れ、その後、冷却返送ポート１７８を通って冷却ギャレーカートへ流れる。代替的な実施形態では、他の構成及びデバイスが可能である。
【００２８】
例示的な一実施形態では、空気供給ダクト１３２と空気返送ダクト１３４が、ギャレー１０４の後壁１６６に沿って経路指定される。示されている実施形態では、冷却供給及び返送ポート１７６、１７８が、側壁１６８、１７０の間のカートコンパートメント１０２内のほぼ中央にある。それによって、（１以上の）冷却ギャレーカートは、カートコンパートメント１０２内の中央に置かれ得るが、代替的な実施形態では、他の構成も可能である。例えば、複数の位置の冷却供給及び返送ポート１７６、１７８が設けられ得る。
【００２９】
図２で示されているギャレーカート１０８は、デマンドギャレーカートであり、本明細書で、以降、デマンドギャレーカート１８０として特定され得る。デマンドギャレーカート１８０は、フライトのためのケータリングアイテムなどの、アイテムを受け入れるように構成された、内部空洞１８４を画定する複数の壁１８２を含む。デマンドギャレーカート１８０は、内部空洞内に食料又は飲料のアイテムを保持するトレイを受け入れ得る。壁１８２は、頂壁１８５、底壁１８６、後壁１８７、（後壁１８７とは反対側の）前壁、及び側壁１８９、１９０を含む。デマンドギャレーカート１８０は、デマンドギャレーカート１８０を移動させるために、その底部に車輪１９２を含む。デマンドギャレーカート１８０は、内部空洞１８４内のトレイにアクセスするために、前壁及び／又は後壁１８７にドア１９４を含み得る。
【００３０】
例示的な一実施形態では、デマンドギャレーカート１８０が、後壁１８７内などの壁１８２のうちの１つ内に画定された、デマンド供給バルブ１９６及びデマンド返送バルブ１９８を含む。示されている実施形態では、デマンド供給バルブ１９６とデマンド返送バルブ１９８の両方が、同じ壁上に設けられているが、デマンド供給バルブ１９６とデマンド返送バルブ１９８は、代替的な実施形態では、異なる壁上に設けられていてもよい。デマンド供給バルブ１９６は、デマンド供給ポート１７７及び供給ダクト１３２と流体連通するように構成されている。例えば、デマンド供給バルブ１９６は、デマンド供給ポート１７７と直接的に連結され得る。ガスケット又は他の種類のシールなどによって、デマンド供給バルブ１９６とデマンド供給ポート１７７との間に、密封された連結が作られ得る。デマンド返送バルブ１９８は、デマンド返送ポート１７９及び返送ダクト１３４と流体連通するように構成されている。例えば、デマンド返送バルブ１９８は、デマンド返送ポート１７９と直接的に連結され得る。ガスケット又は他の種類のシールなどによって、デマンド返送バルブ１９８とデマンド返送ポート１７９との間に、密封された連結が作られ得る。
【００３１】
図３は、ギャレーカート１０８、すなわち、（ファントムで示されている）ユースポイント冷却器２０１を保持する冷却ギャレーカート２００のうちの１つの前面図である。図４は、冷却ギャレーカート２００と（ファントムで示されている）冷却器２０１の側面図である。図５は、冷却ギャレーカート２００と（ファントムで示されている）冷却器２０１の後面図である。冷却ギャレーカート２００は、冷却器２０１を収容するように構成された内部空洞２０４を画定する複数の壁２０２を含む。冷却器２０１が使用されて、（図２で示されている）デマンドギャレーカートを冷却するための冷却気流を生成する。冷却器２０１は、冷却気流を供給するために使用される、冷蔵ユニットなどの、熱交換ユニット２０３を含む。例えば、熱交換ユニットは、蒸発器、凝縮器、圧縮機、及び（図示せぬ）膨張弁を含み得る。冷却器２０１は、空気を冷却するために使用されるシステムを通して空気と冷却剤を循環させるためのサーキュレータを含み得る。冷却器２０１は、冷却器２０１を通る気流を制御するための導管を含み得る。
【００３２】
壁２０２は、頂壁２０５、底壁２０６、後壁２０７、前壁２０８、及び側壁２０９、２１０を含む。冷却ギャレーカート２００は、冷却ギャレーカート２００を移動させるために、その底部に車輪２１２を含む。冷却ギャレーカート２００は、冷却器２０１の制御又は保守のため、冷却器２０１から凝縮物を収集する冷却器２０１の下方の内部空洞２０４の底部にあるドリップトレイ２１５を空にするため、又は他の目的のためなどに、内部空洞２０４にアクセスするための前壁２０８及び／又は後壁２０７にあるドア２１４を含み得る。
【００３３】
例示的な一実施形態では、冷却ギャレーカート２００が、後壁２０７内などの壁２０２のうちの１つ内に画定された、冷却供給バルブ２１６（図５）及び冷却返送バルブ２１８（図５）を含む。示されている実施形態では、冷却供給バルブ２１６と冷却返送バルブ２１８の両方が、同じ壁上に設けられているが、冷却供給バルブ２１６と冷却返送バルブ２１８は、代替的な実施形態では、異なる壁上に設けられていてもよい。冷却供給バルブ２１６は、（両方が図２で示されている）冷却供給ポート１７６及び供給ダクト１３２と流体連通するように構成されている。例えば、冷却供給バルブ２１６は、冷却供給ポート１７６と直接的に連結され得る。ガスケット又は他の種類のシールなどによって、冷却供給バルブ２１６と冷却供給ポート１７６との間に、密封された連結が作られ得る。冷却返送バルブ２１８は、（両方が図２で示されている）冷却返送ポート１７８及び返送ダクト１３４と流体連通するように構成されている。例えば、冷却返送バルブ２１８は、冷却返送ポート１７８と直接的に連結され得る。ガスケット又は他の種類のシールなどによって、冷却返送バルブ２１８と冷却返送ポート１７８との間に、密封された連結が作られ得る。
【００３４】
例示的な一実施形態では、冷却ギャレーカート２００が、前壁２０８などの壁２０２のうちの１つ内に画定された入口２２０と出口２２２を含む。示されている実施形態では、入口２２０と出口２２２の両方が、同じ壁上に設けられているが、入口２２０と出口２２２は、代替的な実施形態では、異なる壁上に設けられていてもよい。入口２２０と出口２２２は、内部空洞２０４内の冷却器２０１と連結するように構成されている。入口２２０と出口２２２は、冷却器２０１の熱交換器の凝縮器を冷却するために、冷却ギャレーカート２００を通して気流を循環させる。冷却器２０１は、出口２２２を通して暖かい空気を排出する。排出された空気は、カートコンパートメント１０２の外側のギャレー領域１１５の中へ排出され、又はキャビンの床の下方などの航空機の別の領域へ排出され得る。
【００３５】
例示的な一実施形態では、冷却ギャレーカート２００が、後壁２０７などの１つの壁２０２において画定された電気アダプター２２４を含む。電気アダプター２２４は、冷却器２０１に電力を供給するために、冷却器２０１の部分と接続するように構成され又は冷却器２０１の部分である。電気アダプター２２４は、ギャレー１０４の（図２で示されている）電気コネクタ２２６と接続するように構成されている。例えば、冷却ギャレーカート２００が、カートコンパートメント１０２の中へ積み込まれたときに、電気アダプター２２４は、電気コネクタ２２６に差し込まれ、それらの間の電気接続を確立する。電気アダプター２２４及び／又は電気コネクタ２２６は、電源コードの端に設けられ得る。
【００３６】
図６は、並んで配置された２つの冷却ギャレーカート２００を示している。例示的な一実施形態では、冷却ギャレーカート２００が、（図２で示されている）デマンドギャレーカート１８０などの、標準的なギャレーカートよりも幅が狭い。例えば、標準的なギャレーカートは、ほぼ１００．０ｃｍの高さ、８０．０ｃｍの奥行き（前から後ろ）、及び３０．０ｃｍの幅（側面から側面）を有し得る。冷却ギャレーカート２００は、デマンドギャレーカートなどの、標準的なギャレーカートの幅のほぼ半分である幅を有する半分の幅のカートであり得る。例えば、冷却ギャレーカート２００は、ほぼ１５．０ｃｍ以下の幅であり得る。そのようにして、２つの冷却ギャレーカート２００は、デマンドギャレーカート１８０のうちの１つを受け入れるように特化されたギャレー内の空間内に並んで重ねられ得る。ギャレー１０４は、冷却ギャレーカート２００を受け入れるために再度寸法を合わせる必要がない。１つ、２つ、又は０個の冷却ギャレーカート２００が、ギャレー１０４内で使用され得る。気流供給・返送システム１１８は、両方の冷却ギャレーカート２００に対する連結を提供するなど、冷却ギャレーカート２００の構成を受け入れる。例えば、各冷却ギャレーカート２００は、１つの冷却供給バルブ２１６と１つの冷却返送バルブ２１８を含む。それらは、（図２で示されている）同じダクト１３２、１３４に連結され得るか、又は個別のダクト１３２、１３４に連結され得る。
【００３７】
図７は、内部空洞２０４内に配置された２つの冷却器２０１を有する冷却ギャレーカート２００を示している。冷却ギャレーカート２００は、標準的なギャレーカートと同様な寸法を有し得る。それによって、冷却ギャレーカート２００は、望まれるときに、デマンドギャレーカートの代わりにカートコンパートメント１０２内で使用され得る。両方の冷却器２０１は、同じ冷却供給バルブ２１６及び同じ冷却返送バルブ２１８と流体連通している。そのような構成は、単一の冷却器２０１を有する冷却ギャレーカート２００と比較したときに、冷却ギャレーカート２００から気流供給・返送システム１１８に供給され得る、冷却気流の量を高め又は増加させ得る。冷却器２０１のうちの一方、両方、又は０個が、所与の時間において操作されて、気流供給・返送システム１１８に供給される冷却気流の量を制御し得る。
【００３８】
図８は、内部空洞２０４内に配置された２つの冷却器２０１を有する冷却ギャレーカート２００を示している。各冷却器２０１は、対応する冷却供給バルブ２１６及び対応する冷却返送バルブ２１８と流体連通している。そのようにして、冷却ギャレーカート２００は、２つの冷却供給バルブ２１６と２つの冷却返送バルブ２１８を含む。そのような構成は、各々が異なるデマンドギャレーカート１８０を冷却することができる、ギャレー１０４のための２つの異なる冷却回路を規定する。
【００３９】
図９は、中間壁１０５の下方のカートコンパートメント１０２を示すギャレー１０４の一部分の概略図である。図９は、デマンドギャレーカート１８０のバンクに隣接する、カートコンパートメント１０２の中央にある一対の冷却ギャレーカート２００を示している。示されている実施形態では、カートコンパートメントが、７つのギャレーカート１０８を受け入れるように構成された、７つのベイのギャレーである。カートコンパートメント１０２内に７つのデマンドギャレーカート１８０を提供することが可能であるが、示されている構成は、中央のデマンドギャレーカートを、一対の半分の幅の冷却ギャレーカート２００で置き替えている。任意選択的に、半分の幅の冷却ギャレーカート２００よりもむしろ、図７又は図８で示されたものなどの、フルサイズの幅の冷却ギャレーカートが使用されてもよい。
【００４０】
気流供給・返送システム１１８は、各々が半分の幅の冷却ギャレーカート２００のうちの一方と関連付けられた、２つの分離した個別の回路を有する２つの回路システムとして示されている。しかし、他の実施形態は、半分の幅の冷却ギャレーカート２００のうちの両方に連結され得る、単一の回路を提供し得る。他の様々な実施形態では、気流供給・返送システム１１８が、冷却ギャレーカート２００に加えて、図１で示されている熱交換器１１６などの、ギャレーの上部の熱交換器に連結され得る。
【００４１】
気流供給・返送システム１１８は、第１の回路の部分を形成する第１の供給ダクト１３２ａと第１の返送ダクト１３４ａ、及び、第２の回路の部分を形成する第２の供給ダクト１３２ｂと第２の返送ダクト１３４ｂを含む。気流供給・返送システム１１８は、第１の回路の部分を形成する第１の冷却供給ポート１７６ａと第１の冷却返送ポート１７８ａ、及び、第２の回路の部分を形成する第２の冷却供給ポート１７６ｂと第２の冷却返送ポート１７８ｂを含む。気流供給・返送システム１１８は、第１の回路の部分を形成する第１のデマンド供給ポート１７７ａと第１のデマンド返送ポート１７９ａ、及び、第２の回路の部分を形成する第２のデマンド供給ポート１７７ｂと第２のデマンド返送ポート１７９ｂを含む。第１の冷却ギャレーカート２００ａは、第１の供給ダクト１３２ａ及び対応するデマンドギャレーカート１８０に冷却気流を供給する。第２の冷却ギャレーカート２００ｂは、第２の供給ダクト１３２ｂ及び対応するデマンドギャレーカート１８０に冷却気流を供給する。
【００４２】
図１０は、中間壁１０５の下方のカートコンパートメント１０２を示すギャレー１０４の一部分の概略図である。図１０は、対応するデマンドギャレーカート１８０を冷却するための第２の回路に連結された、第２の冷却ギャレーカート２００ｂを示している。図１０は、半分の幅の冷却ギャレーカート２００ｂに隣接した、半分の幅のギャレーカート２５０を示している。半分の幅のギャレーカート２５０は、（図９で示されている）第１の冷却ギャレーカート２００ａと置き替えられている。車輪上に冷却ギャレーカート２００を有することは、ケータリング業者などによって、フライト間に容易に挿入及び除去することを可能にする。半分の幅のギャレーカート２５０は、冷却器を含まないが、むしろ食料、飲料、又は乗務員によってギャレーに必要とされる他のアイテムなどの、他のアイテムを保持し得る。半分の幅のギャレーカート２５０は、ごみを収集するためのごみバケツ又はごみ袋を含み得る。左側の何れのデマンドギャレーカート１８０も、冷却されていない。そのような構成は、短い距離の又は中間の距離のフライトなどの、ギャレーカートの冷却に対する需要が低いフライトで使用され得る。
【００４３】
図１１は、中間壁１０５の下方のカートコンパートメント１０２を示すギャレー１０４の一部分の概略図である。図１１は、カートコンパートメントの冷却カート領域内にあるデマンドギャレーカート１８０のうちの１つを示している。デマンドギャレーカート１８０は、（図９で示されている）冷却ギャレーカート２００と置き替えられている。デマンドギャレーカート１８０は、冷却器を含まない。左側又は右側の何れのデマンドギャレーカート１８０も、冷却ギャレーカート２００から何らの冷却も受けていない（しかし、気流供給・返送システム１１８は、冷却気流を受け入れるために（図１で示されている）熱交換器１１６と連結され得る）。そのような構成は、短い距離のフライトなどの、ギャレーカートの冷却に対する需要が低いフライトで使用され得る。
【００４４】
図１２は、航空機の側壁に沿って配置されるように構成された、側壁ギャレー１０４ａの一部分の概略図である。図１３は、航空機の側壁２６０に対するカートコンパートメント１０２を示す、側壁ギャレー１０４ａの端面図である。側壁ギャレー１０４ａの前部は、航空機の長さと平行に延在している。側壁ギャレー１０４ａの後部は、側壁２６０に面している。側壁ギャレー１０４ａの上方の制限された高さのために、（図１で示されている）熱交換器１１６などの、頂部での熱交換器の使用は不可能であろう。ある従来のギャレーシステムは、熱交換器をキャビネットの空間内に組み込む。その熱交換器は、キャビネットの空間の２５％以上を占有し、側壁ギャレー１０４ａの載貨容積に大きな影響を与える。
【００４５】
例示的な一実施形態では、側壁ギャレー１０４ａは、半分の幅の冷却ギャレーカート２００のうちの１つ、半分の幅のギャレーカート２５０のうちの１つ、更に、デマンドギャレーカート１８０のうちの２つを受け入れるが、代替的な実施形態では、ギャレーカートの他の組み合わせも可能である。供給ダクト１３２と返送ダクト１３４は、冷却ギャレーカート２００とデマンドギャレーカート１８０の間に連結されている。半分の幅の冷却ギャレーカート２００と半分の幅のギャレーカート２５０は、特定のフライトのための冷却アイテムに対する必要性に応じて、第３の標準的な又はデマンドギャレーカート１８０を受け入れるために、あるフライトでは除去され得る。車輪上に冷却ギャレーカート２００を有することは、ケータリング業者などによって、フライト間に容易に挿入及び除去することを可能にする。
【００４６】
図１４は、３つのフルサイズのデマンドギャレーカート１８０と冷却ギャレーカート２００のうちの１つとを受け入れるために延ばされた側壁ギャレー１０４ａを示す、側壁ギャレー１０４ａの一部分の概略図である。半分の幅の冷却ギャレーカート２００は、より多くの貨物を受け入れるために、あるフライトでは、除去され（図１２で示されている）半分の幅のギャレーカート２５０のうちの１つに置き替えられ得る。車輪上に冷却ギャレーカート２００を有することは、ケータリング業者などによって、フライト間に容易に挿入及び除去することを可能にする。
【００４７】
他のギャレーカートに冷却空気を供給するためにユースポイント冷却ギャレーカートを使用する、航空機のためのギャレーシステムが提供される。冷却ギャレーカートは、頭上の熱交換器の必要性を消去し、又はそのような頭上の熱交換器の機能を補強する。ある実施形態では、頭上の熱交換器を消去するときに、ギャレーシステムの重量が低減される。熱交換器の構成要素と導管の少なくとも一部とのために必要とされる空間は除去され、ギャレー内の貨物のためのより大きな空間、又は乗客コンパートメント内のより大きな空間を生成する。冷却ギャレーカートは、運搬可能であり、柔軟に冷却需要を満たすために、カートコンパートメントに挿入されカートコンパートメントから除去されるように構成されている。例えば、より短いフライトでは、より少ない冷却が必要である。何故ならば、そのフライトに必要な飲料や食料は、より少ないからである。そのようにして、冷却ギャレーカートは、カートコンパートメントから除去されて、より大きな載貨容積を提供することができる。しかし、より長いフライトでは、更なる食料や飲料のために、より多くの冷却が必要とされる。冷却ギャレーカートが、カートコンパートメント内に積み込まれて、他のデマンドギャレーカートのための冷却を提供することができる。
【００４８】
更に、本開示は以下の条項による実施形態を含む。
条項１
冷却ギャレーカートであって、内部空洞を画定する複数の壁、前記複数の壁のうちの１つの壁内に画定された供給バルブ、及び前記複数の壁のうちの１つの壁内に画定された返送バルブを備え、前記供給バルブと前記返送バルブが、前記冷却ギャレーカートから冷却された気流を供給するために、前記内部空洞内に配置された冷却器と連結するように構成されている、ギャレーカート。
条項２
前記供給バルブが、前記内部空洞の内側の前記冷却器によって生成された冷却された気流を、前記冷却ギャレーカートの外部へ供給する、条項１に記載のギャレーカート。
条項３
前記壁が、前記壁内に前記冷却器を完全に囲い込む、条項１又は２に記載のギャレーカート。
条項４
前記複数の壁のうちの１つ内に画定された入口と前記複数の壁のうちの１つ内に画定された出口を更に備え、前記冷却器が前記出口を通して暖かい空気を排出するように、前記入口と前記出口が、前記内部空洞内に配置された前記冷却器と連結するように構成されている、条項１から３のいずれか一項に記載のギャレーカート。
条項５
前記複数の壁のうちの１つの壁に画定された電気アダプターを更に備え、前記電気アダプターが、前記内部空洞内の前記冷却器とギャレーの電気コネクタに接続するように構成されている、条項１から４のいずれか一項に記載のギャレーカート。
条項６
前記内部空洞内に配置され、前記冷却ギャレーカートから最新の冷却された気流を供給するように前記供給バルブと前記返送バルブに連結された、前記冷却器を更に備える、条項１から５のいずれか一項に記載のギャレーカート。
条項７
前記内部空洞内に配置された第２の冷却器を更に備える、条項６に記載のギャレーカート。
条項８
前記第２の冷却器が、前記冷却ギャレーカートから冷却された気流を供給するように前記供給バルブと前記返送バルブに連結されている、条項７に記載のギャレーカート。
条項９
前記複数の壁のうちの１つに画定された第２の供給バルブと前記複数の壁のうちの１つに画定された第２の返送バルブを更に備え、前記第２の供給バルブと前記第２の返送バルブが、前記冷却ギャレーカートから冷却された気流を供給するように、前記内部空洞内に配置された第２の冷却器と連結するように構成されている、条項７又は８に記載のギャレーカート。
条項１０
前記冷却ギャレーカートが、標準的なギャレーカートの幅の半分未満の幅を有し、前記冷却ギャレーカートが、標準的なギャレーカートのためにサイズ決定されたギャレーカートコンパートメント空間内で、第２の冷却ギャレーカートと重なるように構成されている、条項１から９のいずれか一項に記載のギャレーカート。
条項１１
前記複数の壁が、前壁、後壁、及び前記前壁と前記後壁との間で延在する側壁を備え、前記供給バルブと前記返送バルブが、前記後壁内に画定されている、条項１から１０のいずれか一項に記載のギャレーカート。
条項１２
前記冷却器から凝縮物を収集するために、前記内部空洞の底部内にドリップトレイを更に備える、条項１から１１のいずれか一項に記載のギャレーカート。
条項１３
前記冷却器を有する前記冷却ギャレーカートをギャレーの中及び外へ移動させることを容易にするために、前記冷却ギャレーカートの底部に車輪を更に備える、条項１から１２のいずれか一項に記載のギャレーカート。
条項１４
複数のギャレーカートを保管するように構成されたカートコンパートメント、前記複数のギャレーカートに流体連通するように構成された供給ダクト、前記複数のギャレーカートに流体連通するように構成された返送ダクト、前記供給ダクトに流体連通した冷却供給ポートであって、前記複数のギャレーカートのうちの冷却ギャレーカート内に配置された冷却器から前記供給ダクトの中へ冷却された空気を誘導するために、前記冷却ギャレーカートの供給バルブに連結するように構成された、冷却供給ポート、及び、前記返送ダクトに流体連通した冷却返送ポートであって、前記返送ダクトから前記冷却ギャレーカート内に配置された前記冷却器の中へ返送空気を誘導するために、前記冷却ギャレーカートの返送バルブに連結するように構成された、冷却返送ポートを備える、ギャレー。
条項１５
前記供給ダクトが、前記カートコンパートメント内に受け入れられた前記冷却ギャレーカートから、冷却された気流を受け入れるのみである、条項１４に記載のギャレー。
条項１６
前記冷却供給ポートと前記冷却返送ポートの近くに配置された電気コネクタを更に備え、前記電気コネクタが、前記冷却ギャレーカートの電気アダプターと接続するように構成されている、条項１４又は１５に記載のギャレー。
条項１７
前記供給ダクトと前記返送ダクトが、前記冷却ギャレーカートと、前記複数のギャレーカートのうちの少なくとも１つのデマンドギャレーカートとの間で、気流を誘導するように構成されている、条項１４から１６のいずれか一項に記載のギャレー。
条項１８
前記複数のギャレーカートのうちの少なくとも１つのデマンドギャレーカートのエアオーバー冷却のために、前記供給ダクトが、前記冷却ギャレーカートから前記カートコンパートメントの中へ前記冷却された空気を誘導する、条項１４から１７のいずれか一項に記載のギャレー。
条項１９
前記供給ダクトに流体連通したデマンド供給ポートを更に備え、前記デマンド供給ポートが、前記複数のギャレーカートのうちのデマンドギャレーカートのエアスルー冷却のために、前記供給ダクトから前記デマンドギャレーカートへ前記冷却された空気を誘導するように、前記デマンドギャレーカートの供給バルブと連結するように構成されている、条項１４から１８のいずれか一項に記載のギャレー。
条項２０
前記供給ダクトが第１の供給ダクトを画定し、前記返送ダクトが第１の返送ダクトを画定し、前記冷却供給ポートが第１の冷却供給ポートを画定し、前記冷却返送ポートが第１の冷却返送ポートを画定し、前記ギャレーが、前記第１の供給ダクトから分離し、前記複数のギャレーカートのうちの対応するギャレーカートに流体連通するように構成された、第２の供給ダクト、前記第１の返送ダクトから分離し、前記複数のギャレーカートのうちの対応するギャレーカートに流体連通するように構成された、第２の返送ダクト、前記第２の供給ダクトに流体連通した第２の冷却供給ポートであって、前記複数のギャレーカートのうちの第２の冷却ギャレーカート内に配置された冷却器から前記第２の供給ダクトの中へ冷却された空気を誘導するために、前記第２の冷却ギャレーカートの供給バルブに連結するように構成された、第２の冷却供給ポート、及び、前記第２の返送ダクトに流体連通した第２の冷却返送ポートであって、前記返送ダクトから前記第２の冷却ギャレーカート内に配置された前記冷却器の中へ返送空気を誘導するために、前記第２の冷却ギャレーカートの返送バルブに連結するように構成された、第２の冷却返送ポートを更に備える、条項１４から１９のいずれか一項に記載のギャレー。
条項２１
前記供給ダクトが、前記カートコンパートメントの上方の荷物コンパートメントと流体連通するように構成されている、条項１４から２０のいずれか一項に記載のギャレー。
条項２２
ギャレーのカートコンパートメント内に配置された少なくとも１つのデマンドギャレーカートを冷却するための方法であって、前記ギャレーが、供給ダクト、返送ダクト、前記供給ダクトに流体連通した供給ポート、及び前記返送ダクトに流体連通した返送ポートを含み、前記方法が、前記カートコンパートメント内に冷却ギャレーカートを配置することを含み、前記冷却ギャレーカートが、内部空洞を画定する複数の壁、前記複数の壁のうちの１つの壁内に画定された供給バルブ、前記複数の壁のうちの１つの壁内に画定された返送バルブ、及び前記内部空洞内に配置された冷却器を含み、前記冷却器が前記供給バルブと前記返送バルブに連結され、前記方法が、更に、前記冷却器から前記供給ダクトへ冷却された気流を供給するために、前記冷却ギャレーカートの前記供給バルブを前記供給ポートに連結すること、及び、前記返送ダクトから前記冷却器に返送空気を供給するために、前記冷却ギャレーカートの前記返送バルブを前記返送ポートに連結することを含む、方法。
条項２３
条項１から１３のいずれか一項に記載の複数のギャレーカートを保管するように構成されたカートコンパートメント、前記複数のギャレーカートに流体連通するように構成された供給ダクト、前記複数のギャレーカートに流体連通するように構成された返送ダクト、前記供給ダクトに流体連通した冷却供給ポートであって、前記複数のギャレーカートのうちの冷却ギャレーカート内に配置された冷却器から前記供給ダクトの中へ冷却された空気を誘導するために、前記冷却ギャレーカートの供給バルブと連結するように構成された、冷却供給ポート、及び、前記返送ダクトに流体連通した冷却返送ポートであって、前記返送ダクトから前記冷却ギャレーカート内に配置された前記冷却器の中へ返送空気を誘導するために、前記冷却ギャレーカートの返送バルブに連結するように構成された、冷却返送ポートを備える、ギャレー。
条項２４
ギャレーのカートコンパートメント内に配置された少なくとも１つのデマンドギャレーカートを冷却するための方法であって、前記ギャレーが、供給ダクト、返送ダクト、前記供給ダクトに流体連通した供給ポート、及び前記返送ダクトに流体連通した返送ポートを含み、前記方法が、前記カートコンパートメント内に条項１から１３のいずれか一項に記載の冷却ギャレーカートを配置することを含み、前記冷却ギャレーカートが、内部空洞を画定する複数の壁、前記複数の壁のうちの１つの壁内に画定された供給バルブ、前記複数の壁のうちの１つの壁内に画定された返送バルブ、及び前記内部空洞内に配置された冷却器を含み、前記冷却器が前記供給バルブと前記返送バルブに連結され、前記方法が、更に、前記冷却器から前記供給ダクトへ冷却された気流を供給するために、前記冷却ギャレーカートの前記供給バルブを前記供給ポートに連結すること、及び、前記返送ダクトから前記冷却器に返送空気を供給するために、前記冷却ギャレーカートの前記返送バルブを前記返送ポートに連結することを含む、方法。
条項２５
条項１４から２０のいずれか一項に記載のギャレーと共に使用される冷却ギャレーカートであって、内部空洞を画定する複数の壁、前記複数の壁のうちの１つの壁内に画定された供給バルブ、及び前記複数の壁のうちの１つの壁内に画定された返送バルブを備え、前記供給バルブと前記返送バルブが、前記冷却ギャレーカートから冷却された気流を供給するために、前記内部空洞内に配置された冷却器に連結するように構成されている、冷却ギャレーカート。
【００４９】
上記の説明は、限定ではなく例示を意図するものであることを理解されたい。例えば、上述の実施形態（及び／又はそれらの態様）は、互いに組み合わせて使用することができる。加えて、様々な実施形態の範囲から逸脱することなく特定の状況または材料を様々な実施形態の教示に適応させるために、多数の改変が加えられ得る。本明細書で説明している寸法、材料の種類、様々な構成要素の配向、並びに、様々な構成要素の数及び位置は、一定の実施形態のパラメータを規定することを意図しており、決して限定するものではなく、例示的な実施形態に過ぎない。特許請求の本質及び範囲に含まれる多くの他の実施形態及び改変は、上記の説明を読むことによって、当業者にとって明らかになるであろう。したがって、様々な実施形態の範囲は、添付の特許請求の範囲、及びこうした特許請求の範囲が認められる均等物の全範囲を参照して、決定されるべきである。添付の特許請求の範囲において、「含む（ｉｎｃｌｕｄｉｎｇ）」及び「そこにおいて（ｉｎ  ｗｈｉｃｈ）」という用語は、それぞれ、「備える（ｃｏｍｐｒｉｓｉｎｇ）」及び「そこで（ｗｈｅｒｅｉｎ）」という用語の、明白な同義語として使用される。更に、以下の特許請求の範囲では、「第１の」「第２の」、及び「第３の」などの表現は、単なる標識として使用されるものであり、それらの対象物の数値的要件を課すことを意図していない。さらに、以下の特許請求の範囲の限定は、ミーンズ・プラス・ファンクション形式で記述されておらず、こうした特許請求の範囲の限定が、「のための手段（ｍｅａｎｓ  ｆｏｒ）」という言い回しを明示的に使用せず、さらなる構造を持たない機能の記述がそれに続かない限り、米国特許法第１１２条、段落（ｆ）に基づいて解釈されることを意図していない。
【図１】
2018127189.tif 000003
【図２】
2018127189.tif 000004
【図３】
2018127189.tif 000005
【図４】
2018127189.tif 000006
【図５】
2018127189.tif 000007
【図６】
2018127189.tif 000008
【図７】
2018127189.tif 000009
【図８】
2018127189.tif 000010
【図９】
2018127189.tif 000011
【図１０】
2018127189.tif 000012
【図１１】
2018127189.tif 000013
【図１２】
2018127189.tif 000014
【図１３】
2018127189.tif 000015
【図１４】
2018127189.tif 000016
【外国語明細書】
2018127189000001.pdf
2018127189000002.pdf
2018127189000003.pdf
2018127189000004.pdf